(57)【要約】【課題】建物躯体の内部に内装ユニットを円滑に搬入できるようにする。【解決手段】本発明に係る重量物搬入装置３Ａは、建物躯体１に設置すべき部材や各種設備をユニット化した内装ユニット２を該建物躯体１に搬入するためのもので、クレーンにより懸吊される支持基台３０Ａと、該支持基台３０Ａに取り付けられて該内装ユニット２を摺動可能に支持するレール手段３２Ａと、該支持基台３０Ａに取り付けられて前記建物躯体１ｃ１，１ｃ２に付勢されることにより該支持基台３０Ａを所定の位置に固定する係合手段３３Ａと、を備えている。本発明によれば、前記支持基台３０Ａは前記係合手段３３Ａによって適正位置に保持されているため、前記建物躯体１の内部に前記内装ユニット２を円滑に搬入することができる。【選択図】図１
2018031236.tif 000002
【特許請求の範囲】
【請求項１】
クレーンにて吊り下げられると共に略垂直に配置されてなる垂直開口部から建物躯体の内部に重量物を搬入する重量物搬入装置において、
前記クレーンからのワイヤが係止されるワイヤ係止部を有する支持基台と、
該支持基台に取り付けられると共に前記重量物を摺動可能に支持するレール手段と、
前記支持基台に取り付けられると共に前記建物躯体の部位であって前記垂直開口部の近傍の被係合部位に係合可能となるように構成された係合手段と、
を備えたことを特徴とする重量物搬入装置。
【請求項２】
前記係合手段は、前記被係合部位に係合された場合に前記垂直開口部の近傍のスラブと略同じ高さであって該スラブの端面に前記支持基台の端面が対向するように該支持基台を支持する、
ことを特徴とする請求項１に記載の重量物搬入装置。
【請求項３】
前記係合手段は、前記垂直開口部の近傍にて床面と天井面との間に突っ張るように配置される係合位置を取り得るように構成された突っ張り装置である、
ことを特徴とする請求項１又は２に記載の重量物搬入装置。
【請求項４】
前記突っ張り装置はジャッキである、
ことを特徴とする請求項３に記載の重量物搬入装置。
【請求項５】
前記係合手段は、前記垂直開口部の近傍にてスラブの端部に引っ掛けることができるように構成されたフック部材を有する、
ことを特徴とする請求項１乃至４のいずれか１項に記載の重量物搬入装置。
【請求項６】
前記係合手段は、前記フック部材に対向する位置であって該フック部材と共に前記スラブの端部を挟持する位置を取り得る対向部材を有する、
ことを特徴とする請求項５に記載の重量物搬入装置。
【請求項７】
前記レール手段は、前記垂直開口部から前記建物躯体の内部に向かう方向である第１方向に前記重量物を摺動可能に支持する第１レール部材、を有する、
ことを特徴とする請求項１乃至６のいずれか１項に記載の重量物搬入装置。
【請求項８】
前記レール手段は、前記第１方向に摺動自在に支持されると共に略水平方向であって該第１方向に直交する方向に前記重量物を摺動可能に支持する第２レール部材、を有する、
ことを特徴とする請求項７に記載の重量物搬入装置。
【発明の詳細な説明】
【技術分野】
【０００１】
本発明は、クレーンにて吊り下げられると共に略垂直に配置されてなる垂直開口部から建物躯体の内部に重量物を搬入する重量物搬入装置に関する。
【背景技術】
【０００２】
従来、集合住宅やホテル等の建物を構築する際に、床材や壁材や天井材など内装部品をユニット（以下、“内装ユニット”とする）として工場で予め組み立てる方法については種々の方法が提案されている（例えば、特許文献１参照）。
【先行技術文献】
【特許文献】
【０００３】
【特許文献１】特開２００６−１６８９７公報
【発明の概要】
【発明が解決しようとする課題】
【０００４】
ところで、上述のような内装ユニットは、水周りの設備や家具などを含めると数トンから１０トンくらいの重量になってしまうが、そのような内装ユニットを建物躯体の内部に円滑に搬入する装置については、適切なものは提案されていなかった。
【０００５】
本発明は、上述の問題を解消することのできる重量物搬入装置を提供することを目的とするものである。
【課題を解決するための手段】
【０００６】
本発明の第１の観点は、図１乃至図４に例示するものであって、クレーン（不図示）にて吊り下げられると共に略垂直に配置されてなる垂直開口部（１ａ）から建物躯体（１）の内部に重量物（２）を搬入する重量物搬入装置（３Ａ，３Ｂ，３Ｃ，３Ｄ）において、
前記クレーンからのワイヤ（４）が係止されるワイヤ係止部（３１Ａ，３１Ｂ，３１Ｃ，３１Ｄ）を有する支持基台（３０Ａ，３０Ｂ，３０Ｃ，３０Ｄ）と、
該支持基台（３０Ａ，３０Ｂ，３０Ｃ，３０Ｄ）に取り付けられると共に前記重量物（２）を摺動可能に支持するレール手段（３２Ａ，３２Ｂ，３２Ｃ，３２Ｄ）と、
前記支持基台（３０Ａ，３０Ｂ，３０Ｃ，３０Ｄ）に取り付けられると共に前記建物躯体（１）の部位であって前記垂直開口部（１ａ）の近傍の被係合部位（１ｃ１，１ｃ２，１ｄ，１ｅ）に係合可能となるように構成された係合手段（３３Ａ，３３Ｂ，３３Ｃ，３３Ｄ）と、を備えたことを特徴とする。
【０００７】
本発明の第２の観点は、図２乃至図４に例示するものであって、前記係合手段（３３Ｂ，３３Ｃ，３３Ｄ）が、前記被係合部位（１ｄ，１ｅ）に係合された場合に前記垂直開口部（１ａ）の近傍のスラブ（１ｂ）と略同じ高さであって該スラブ（１ｂ）の端面に前記支持基台（３０Ｂ，３０Ｃ，３０Ｄ）の端面が対向するように該支持基台（３０Ｂ，３０Ｃ，３０Ｄ）を支持することを特徴とする。
【０００８】
本発明の第３の観点は、図１に例示するものであって、前記係合手段（３３Ａ）が、前記垂直開口部（１ａ）の近傍にて床面（１ｃ２）と天井面（１ｃ１）との間に突っ張るように配置される係合位置を取り得るように構成された突っ張り装置であることを特徴とする。
【０００９】
本発明の第４の観点は、前記突っ張り装置がジャッキであることを特徴とする。
【００１０】
本発明の第５の観点は、図２乃至図４に例示するものであって、前記係合手段（３３Ｂ，３３Ｃ，３３Ｄ）が、前記垂直開口部（１ａ）の近傍にてスラブの端部（１ｄ，１ｅ）に引っ掛けることができるように構成されたフック部材（３３Ｂ１，３３Ｃ１，３３Ｄ１）を有することを特徴とする。
【００１１】
本発明の第６の観点は、図２及び図３に例示するものであって、前記係合手段（３３Ｂ，３３Ｃ）が、前記フック部材（３３Ｂ１，３３Ｃ１）に対向する位置であって該フック部材（３３Ｂ１，３３Ｃ１）と共に前記スラブの端部（１ｄ，１ｅ）を挟持する位置を取り得る対向部材（３３Ｂ２，３３Ｃ２）を有することを特徴とする。
【００１２】
本発明の第７の観点は、前記レール手段（３２Ａ，３２Ｂ，３２Ｃ，３２Ｄ）が、前記垂直開口部（１ａ）から前記建物躯体（１）の内部に向かう方向である第１方向（ｘ）に前記重量物（２）を摺動可能に支持する第１レール部材（３２Ａ１，３２Ｂ１，３２Ｃ１，３２Ｄ１）、を有することを特徴とする。
【００１３】
本発明の第８の観点は、前記第１方向（ｘ）に摺動自在に支持されると共に前記レール手段（３２Ａ，３２Ｂ，３２Ｃ，３２Ｄ）が、略水平方向であって該第１方向（ｘ）に直交する方向（図１乃至図４の紙面垂直方向）に前記重量物（２）を摺動可能に支持する第２レール部材（不図示）、を有することを特徴とする。
【００１４】
なお、括弧内の番号などは、図面における対応する要素を示す便宜的なものであり、従って、本記述は図面上の記載に限定拘束されるものではない。
【発明の効果】
【００１５】
上記した第１，３，４，５，６及び７の観点によれば、前記支持基台は前記係合手段によって適正位置に保持されているため、前記建物躯体の内部に前記重量物を円滑に搬入することができる。
【００１６】
上記した第２の観点によれば、前記建物躯体の床面から天井面までの空間に前記支持基台は侵入しないために該空間をフルに利用することができ、前記建物躯体の側に干渉しない限り、背の高い前記重量物でも該建物躯体内に搬入することができる。
【００１７】
上記した第８の観点によれば、前記重量物を水平面に沿って適正な位置まで自由に移動させることができる。
【図面の簡単な説明】
【００１８】
【図１】図１（ａ）〜（ｃ）は、本発明に係る重量物搬入装置の使用状態の一例を示す模式図である。
【図２】図２（ａ）〜（ｃ）は、本発明に係る重量物搬入装置の使用状態の他の例を示す模式図である。
【図３】図３（ａ）〜（ｃ）は、本発明に係る重量物搬入装置の使用状態のさらに他の例を示す模式図である。
【図４】図４（ａ）〜（ｃ）は、本発明に係る重量物搬入装置の使用状態のさらに他の例を示す模式図である。
【発明を実施するための形態】
【００１９】
以下、図１乃至図４に沿って、本発明の実施の形態について説明する。
【００２０】
本発明に係る重量物搬入装置（建物躯体への重量物搬入装置）は、垂直開口部１ａ（窓やドアを設置するために建物躯体（図１〜図４の符号１参照）に形成された開口部であって略垂直に配置されてなる開口部）から該建物躯体１の内部に重量物２を搬入するための装置であって、不図示のクレーンにて吊り下げられて使用されるものである。ここで、建物躯体とは、建物の構造を支える骨組であって床スラブや壁や梁などの躯体で構成されたものを意味する。そして、建物としては、集合住宅やホテルやオフィスビルなどの様々な建物を挙げることができる。また、前記垂直開口部１ａは、前記重量物２を搬入する都合から前記建物躯体１の床面の近傍から天井面の近傍にまで形成された２ｍ以上の高さの開口であることが望ましいが、もちろんこれに限られるものではなく、２ｍ以下の高さの開口であっても良い。さらに、重量物２としては、前記建物躯体１の内部に設置すべき部材や設備（例えば、室内に配置する化粧壁や天井パネルや床部材、各部屋やキッチンや浴室やトイレなどに設置する設備機器や家具や電線や配管など）をユニット化した内装ユニットを挙げることができる。ホテルを構築する場合には、１部屋が３０ｍ２程度と狭いので、１部屋分の設備（例えば、ユニットバスや家具類やクローゼットなど）を有する１つの内装ユニットを建物躯体１に搬入して各部屋を構築していくようにすると良い。またさらに、集合住宅を構築する場合には、各住戸はホテルの部屋に比べて広くなる傾向があるので、複数種類の内装ユニット（例えば、浴室のユニットやキッチンのユニットなど）を建物躯体１に搬入して各住戸を構築していくようにすると良い。
【００２１】
本発明に係る重量物搬入装置は、図１〜図４に符号３Ａ，３Ｂ，３Ｃ，３Ｄで例示するものであって、前記重量物２を支持する支持基台３０Ａ，３０Ｂ，３０Ｃ，３０Ｄを備えている。該支持基台は、
・  図１，２，４に例示するように、前記重量物２の上側に配置されて該重量物２を吊り下げた状態で支持するタイプ（吊り下げ支持タイプ）であっても、
・  図３に例示するように、前記重量物２の下側に配置されて該重量物２を載置した状態で支持するタイプ（載置支持タイプ）であっても
どちらでも良く、前記支持基台の一部は前記重量物２の側方に配置されていても良い（不図示）。そして、これらの支持基台３０Ａ，３０Ｂ，３０Ｃ，３０Ｄは、クレーン（不図示）からのワイヤ４が係止されるワイヤ係止部３１Ａ，３１Ｂ，３１Ｃ，３１Ｄを有しており、該クレーンによって吊り下げられて前記垂直開口部１ａの近傍にまで移動できるように構成されている。
【００２２】
また、前記支持基台３０Ａ，３０Ｂ，３０Ｃ，３０Ｄにはレール手段３２Ａ，３２Ｂ，３２Ｃ，３２Ｄが取り付けられていて、該レール手段３２Ａ，３２Ｂ，３２Ｃ，３２Ｄは、前記重量物２を摺動可能に支持するように構成されている。具体的には、このレール手段３２Ａ，３２Ｂ，３２Ｃ，３２Ｄは、前記垂直開口部１ａから前記建物躯体１の内部に向かう略水平方向（以下、“第１方向”とする）ｘに前記重量物２を摺動可能に支持する第１レール部材３２Ａ１，３２Ｂ１，３２Ｃ１，３２Ｄ１、を有している。なお、上述のように前記支持基台を吊り下げ支持タイプとする場合には前記重量物２は前記第１レール部材に吊り下げた状態で摺動可能に支持するようにすると良く、前記支持基台を載置支持タイプとする場合には前記重量物２は前記第１レール部材に載置した状態で摺動可能に支持するようにすると良い。
【００２３】
さらに、本発明に係る重量物搬入装置３Ａ，３Ｂ，３Ｃ，３Ｄは、前記建物躯体１の部位であって前記垂直開口部１ａの近傍の部位（図１（ａ）の符号１ｃ１，１ｃ２や図２（ａ）の符号１ｄや図３（ａ）の符号１ｅ参照。以下、“被係合部位”とする）に係合可能となるように構成された係合手段３３Ａ，３３Ｂ，３３Ｃ，３３Ｄを備えている。この係合手段３３Ａ，３３Ｂ，３３Ｃ，３３Ｄは前記支持基台３０Ａ，３０Ｂ，３０Ｃ，３０Ｄに取り付けられていて、該係合手段３３Ａ，３３Ｂ，３３Ｃ，３３Ｄが前記被係合部位１ｃ１，１ｃ２，１ｄ，１ｅに係合された状態では該支持基台３０Ａ，３０Ｂ，３０Ｃ，３０Ｄは適正な位置（つまり、前記重量物２が前記垂直開口部１ａに対峙する位置）に保持されるようになっている。
【００２４】
本発明によれば、前記支持基台３０Ａ，３０Ｂ，３０Ｃ，３０Ｄは前記係合手段３３Ａ，３３Ｂ，３３Ｃ，３３Ｄによって適正位置に保持されているため、前記重量物２は前記建物躯体１の内部に円滑に搬入することができる。
【００２５】
なお、前記重量物搬入装置３Ａ，３Ｂ，３Ｃ，３Ｄの先端側（つまり、前記建物躯体１に近接する側）には介錯ロープ（該建物躯体１の側から前記支持基台３０Ａ，３０Ｂ，３０Ｃ，３０Ｄを引き寄せるために使用するロープであって、図１（ａ）及び図４（ａ）の符号３４参照）を取り付けておくと良い。また、該建物躯体１の側にはフックリング（つまり、リング状に形成されたフック）３５を取り付けておいて、前記介錯ロープ３４は作業者が該フックリング３５に通した状態で引っ張るようにすると良い。そして、前記重量物２を搬入している間は該介錯ロープ３４を前記建物躯体１の側に固定しておくと良い。
【００２６】
さらに、前記係合手段３３Ｂ，３３Ｃ，３３Ｄは、前記被係合部位１ｄ，１ｅに係合された場合に、前記支持基台３０Ｂ，３０Ｃ，３０Ｄが前記垂直開口部１ａの近傍のスラブ（床スラブ）１ｂと略同じ高さとなるように前記支持基台３０Ｂ，３０Ｃ，３０Ｄを支持するようにすると良い。その場合、前記係合手段３３Ｂ，３３Ｃ，３３Ｄは、該スラブ１ｂの端面に前記支持基台３０Ｂ，３０Ｃ，３０Ｄの端面が対向するように該支持基台３０Ｂ，３０Ｃ，３０Ｄを支持するようにすると良い。そのようにした場合には、前記建物躯体１の床面から天井面までの空間（図２（ａ）にて符号Ｈで示す空間）に該支持基台３０Ｂ，３０Ｃ，３０Ｄは侵入しないために該空間をフルに利用することができ、前記建物躯体１の側に干渉しない限り、背の高い前記重量物２でも該建物躯体１内に搬入することができる。このような構成は、内装ユニットを搬入する場合に特に有効である。
【００２７】
また、前記支持基台３０Ａ，３０Ｂ，３０Ｃ，３０Ｄには別のレール部材（不図示。以下、“固定レール”とする）を前記第１方向ｘに延設されるように固定しておいて、前記第１レール部材３２Ａ１，３２Ｂ１，３２Ｃ１，３２Ｄ１は該第１方向ｘ（つまり、前記建物躯体１に近づく方向）に摺動可能となるように該固定レールに支持させておくと良い。そのようにした場合には、前記第１レール部材３２Ａ１，３２Ｂ１，３２Ｃ１，３２Ｄ１を前記建物躯体１に近づく方向に摺動させて前記重量物２を円滑に搬入することができる。さらに、該重量物２は、前記第１レール部材３２Ａ１，３２Ｂ１，３２Ｃ１，３２Ｄ１に直接支持されるようにしても良いが、該第１レール部材３２Ａ１，３２Ｂ１，３２Ｃ１，３２Ｄ１に摺動自在に支持された第２レール部材（不図示）を介して間接的に支持されるようにしても良い。すなわち、前記レール手段３２Ａ，３２Ｂ，３２Ｃ，３２Ｄは、前記第１方向ｘに摺動可能となるように前記第１レール部材３２Ａ１，３２Ｂ１，３２Ｃ１，３２Ｄ１に支持されると共に略水平方向であって前記第１方向ｘに直交する方向（紙面垂直方向）に前記重量物２を摺動可能に支持する第２レール部材、を有していても良い。そのようにした場合には、前記重量物２を水平面に沿って適正な位置まで自由に移動させることができる。
【００２８】
なお、前記係合手段は、図１（ａ）〜（ｃ）にて符号３３Ａで示すように、前記垂直開口部１ａの近傍にて天井面１ｃ１と床面１ｃ２との間の係合位置（つまり、該天井面１ｃ１と該床面１ｃ２との間に突っ張るように配置される係合位置）を取り得るように構成された突っ張り装置にすると良い。このような突っ張り装置３３Ａとしては、いわゆるネジジャッキ（スクリュージャッキ）を挙げることができるが、油圧ジャッキ等の他の公知のジャッキを使用するようにしても良い。この突っ張り装置３３Ａは、前記重量物２を挟み込むように該重量物２の両側方に配置するようにすると良い。また、この突っ張り装置３３Ａは、図１（ａ）〜（ｂ）に例示するように、その上端を中心に揺動できるように構成しておくと良い。さらに、そのような突っ張り装置３３Ａの揺動やセットは作業者が人力かモーターで行うようにすると良い。
【００２９】
また、前記係合手段は、図２〜図４にて符号３３Ｂ，３３Ｃ，３３Ｄで例示するように、前記垂直開口部１ａの近傍にてスラブ１ｂの端部１ｄ，１ｅに引っ掛けることができるように構成されたフック部材３３Ｂ１，３３Ｃ１，３３Ｄ１を有するようにしても良い。このフック部材は、前記重量物２を搬入する階において天井側のスラブの端部１ｄに引っ掛けるようにしても、或いは、床側のスラブの端部１ｅに引っ掛けるようにしても、どちらでも良い。このフック部材は、図４（ａ）〜（ｃ）に例示するように、上述した突っ張り装置３３Ａと一緒に使用しても良いが、図２（ａ）〜（ｃ）及び図３（ａ）〜（ｃ）に例示するように、該フック部材３３Ｂ１，３３Ｃ１に対向する位置であって該フック部材３３Ｂ１，３３Ｃ１と共に前記スラブの端部１ｄ，１ｅを挟持する位置を取り得る対向部材３３Ｂ２，３３Ｃ２と一緒に使用するようにしても良い。これらのフック部材３３Ｂ１，３３Ｃ１及び対向部材３３Ｂ２，３３Ｃ２は、前記重量物２を搬入する階において天井側のスラブを挟持するようにしても、床側のスラブを挟持するようにしても、どちらでも良い。
【符号の説明】
【００３０】
１                                        建物躯体
１ａ                                      垂直開口部
１ｂ                                      スラブ
１ｃ１，１ｃ２，１ｄ，１ｅ                被係合部位
２                                        重量物（内装ユニット）
３Ａ，３Ｂ，３Ｃ，３Ｄ                    重量物搬入装置
４                                        ワイヤ
３０Ａ，３０Ｂ，３０Ｃ，３０Ｄ            支持基台
３１Ａ，３１Ｂ，３１Ｃ，３１Ｄ            ワイヤ係止部
３２Ａ，３２Ｂ，３２Ｃ，３２Ｄ            レール手段
３２Ａ１，３２Ｂ１，３２Ｃ１，３２Ｄ１    第１レール部材
３３Ａ，３３Ｂ，３３Ｃ，３３Ｄ            係合手段
３３Ｂ１，３３Ｃ１，３３Ｄ１              フック部材
３３Ｂ２，３３Ｃ２                        対向部材
ｘ                                        第１方向
【図１】
2018031236.tif 000003
【図２】
2018031236.tif 000004
【図３】
2018031236.tif 000005
【図４】
2018031236.tif 000006